【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
1つ又はそれ以上の積層体に熱及び圧力を適用することによって得られる、1種又はそれ以上の装飾材料を表面に有する熱可塑性物品であって、前記積層体の少なくとも１つが、（１）１種又はそれ以上の装飾材料及び（２）少なくとも１種の上部シート材料又は少なくとも１種の下部シート材料を含んでなり、前記上部又は下部シート材料が、
（ａ）脂肪族、脂環式及び／又は芳香族ジカルボン酸からなる群から選ばれた二酸残基成分（前記芳香族ジカルボン酸の芳香族部分は炭素数が６〜２０であり、前記脂肪族又は脂環式ジカルボン酸の脂肪族又は脂環式部分は炭素数が３〜２０である）並びに４５〜１００モル％の１，４−シクロヘキサンジメタノール及び、場合によっては、少なくとも１種の、炭素数２〜２０の追加脂肪族ジオールを含んでなるグリコール残基成分（グリコール成分の総モル％は１００モル％である）を含むポリエステル１〜９９重量％並びに
（ｂ）芳香族ポリカーボネート９９〜１重量％
を含んでなるポリエステル／芳香族ポリカネートブレンド（前記ポリエステル／ポリカーボネートブレンド中のポリエステル及びポリカーボネートの総百分率は１００重量％である）から形成される熱可塑性物品。
【請求項２】
前記ポリエステル／芳香族ポリカーボネートブレンドが前記ポリエステルを５０〜９０重量％の量で且つ前記芳香族ポリカーボネートを５０〜１０重量％の量で含む請求項１に記載の熱可塑性物品。
【請求項３】
前記ポリエステル／芳香族ポリカーボネートブレンドが前記ポリエステルを６０〜８０重量％の量で且つ前記芳香族ポリカーボネートを４０〜２０重量％の量で含む請求項２に記載の熱可塑性物品。
【請求項４】
前記ポリエステル／芳香族ポリカーボネートブレンド中のポリエステルが式：
【化１】
2006507162.tif 000001
［式中、Ｒは４５〜１００モル％の１，４−シクロヘキサンジメタノール及び５５〜０モル％の、炭素数２〜２０の少なくとも１種のアリール、アルカン若しくはシクロアルカン含有ジオール又は化学的等価物の残基を含むジオール残基成分であり；Ｒ1は炭素数３〜２０のアリール、脂肪族若しくはシクロアルカン含有二酸又はその化学的等価物から得られた脱カルボキシル化残基を含む二酸残基成分である］
を含んでなる請求項１に記載の熱可塑性物品。
【請求項５】
前記ポリエステルの前記ジオール残基成分がエチレングリコール、１，２−プロピレングリコール、１，３−プロパンジオール、１，４−ブタンジオール、１，５−ペンタンジオール、１，６−ヘキサンジオール、１，２−若しくは１，３−シクロヘキサンジメタノール、ネオペンチルグリコール及び２，２，４，４−テトラメチルー１，３−シクロブタンジオールからなる群から選ばれる請求項４に記載の熱可塑性物品。
【請求項６】
前記ポリエステルの前記二酸残基成分がマロン酸、コハク酸、グルタル酸、アジピン酸、ピメリン酸、スベリン酸、アゼライン酸、セバシン酸、ドデカン二酸、１，４−、１，５−及び２，６−デカヒドロナフタレンジカルボン酸並びにシス−若しくはトランス−１，４−シクロヘキサンジカルボン酸、テレフタル酸、イソフタル酸、４，４’−ビフェニルジカルボン酸、トランス−３，３’−及びトランス−４，４−スチルベンジカルボン酸、４，４’−ジベンジルジカルボン酸並びに１，４−、１，５’−、２，３−、２，６−及び２，７−ナフタレンジカルボン酸からなる群から選ばれる請求項４に記載の熱可塑性物品。
【請求項７】
前記ポリエステル／芳香族ポリカーボネートブレンドのポリエステルがテレフタル酸及び１，４−シクロヘキサンジメタノールを含む請求項１に記載の熱可塑性物品。
【請求項８】
前記ポリエステル／芳香族ポリカーボネートブレンドのポリエステルがテレフタル酸、１，４−シクロヘキサンジメタノール及びエチレングリコールを含む請求項７に記載の熱可塑性物品。
【請求項９】
前記ポリエステルがテレフタル酸を８０〜１００モル％の量で、１，４−シクロヘキサンジメタノールを４５〜１００モル％の量で、そしてエチレングリコールを０〜５５モル％の量で含む請求項４に記載の熱可塑性物品。
【請求項１０】
前記ポリエステルがテレフタル酸を８０〜１００モル％の量で、１，４−シクロヘキサンジメタノールを６０〜８０モル％の量で、そしてエチレングリコールを４０〜２０モル％の量で含む請求項９に記載の熱可塑性物品。
【請求項１１】
前記ポリエステル／芳香族ポリカーボネートブレンドのポリエステルがテレフタル酸、イソフタル酸及び１，４−シクロヘキサンジメタノールを含む請求項１に記載の熱可塑性物品。
【請求項１２】
前記ポリエステルがテレフタル酸を５０〜９５モル％の量で、イソフタル酸を５〜５０モル％の量で、そして１，４−シクロヘキサンジメタノールを９０〜１００モル％の量で含む請求項１１に記載の熱可塑性物品。
【請求項１３】
前記ポリエステルが１，４−シクロヘキサンジメタノールを１００モル％の量で含む請求項１２に記載の熱可塑性物品。
【請求項１４】
前記ポリエステルが多官能価酸、多官能価グリコール及び酸／グリコール混成物から選ばれた分岐剤を含む請求項１に記載の熱可塑性物品。
【請求項１５】
前記分岐剤がトリメシン酸、トリメリット酸無水物、ピロメリット酸、ピロメリット酸無水物、トリメチロールプロパン、ジメチルヒドロキシルテレフタレート及びペンタエリスリトールからなる群から選ばれる請求項１４に記載の熱可塑性物品。
【請求項１６】
前記芳香族ポリカーボネートが１種又はそれ以上の二価フェノール類とカーボネート前駆体との反応によって製造される請求項１に記載の熱可塑性物品。
【請求項１７】
前記二価フェノールが２，２−ビス−（４−ヒドロキシフェニル）−プロパン、３，３，５−トリメチル−１，１−ビス（４−ヒドロキシフェニル）−シクロヘキサン、２，４−ビス−（４−ヒドロキシフェニル）−２−メチル−ブタン、１，１−ビス−（４−ヒドロキシフェニル）−シクロヘキサン、α，α’−ビス−（４−ヒドロキシフェニル）−ｐ−ジイソプロピルベンゼン、２，２−ビス−（３−メチル−４−ヒドロキシフェニル）−プロパン、２，２−ビス−（３−クロロ−４−ヒドロキシフェニル）プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルフィド、ビス−（３，５−ジメチル−４−ヒドロキシフェニル）−スルホキシド、ビス−（３，５−ジメチル−４−ヒドロキシフェニル）−スルホン、ジヒドロキシ−ベンゾフェノン、２，４−ビス−（３，５−ジメチル−４−ヒドロキシフェニル）−シクロヘキサン、α，α’−ビス−（３，５−ジメチル−４−ヒドロキシフェニル）−ｐ−ジイソプロピルベンゼン及び４，４’−スルホニルジフェノール、ヒドロキノン、レゾルシノール、ビス−（ヒドロキシフェニル）−アルカン類、ビス−（ヒドロキシフェニル）エーテル類、ビス−（ヒドロキシフェニル）−ケトン類、ビス−（ヒドロキシフェニル）−スルホキシド類、ビス−（ヒドロキシフェニル）−スルフィド類、ビス−（ヒドロキシフェニル）−スルホン類及びα，α−ビス−（ヒドロキシフェニル）ジイソプロピルベンゼン類からなる群から選ばれる請求項１に記載の熱可塑性物品。
【請求項１８】
前記二価フェノールが２，２−ビスー（４−ヒドロキシフェニル）−プロパンである請求項１７に記載の熱可塑性物品。
【請求項１９】
前記カーボネート前駆体がハロゲン化カルボニル、ジアリールカーボネート及びビスハロホルメートからなる群から選ばれる請求項１６に記載の熱可塑性物品。
【請求項２０】
前記ハロゲン化カルボニルが臭化カルボニル、塩化カルボニル及びそれらの混合物からなる群から選ばれる請求項１９に記載の熱可塑性物品。
【請求項２１】
前記ビスハロホルメートが２，２−ビス−（４−ヒドロキシフェニル）−プロパン、ヒドロキノンなどのビスクロロホルメート及びグリコールのビスハロホルメートからなる群から選ばれる請求項１９に記載の熱可塑性物品。
【請求項２２】
前記ハロゲン化カルボニルが塩化カルボニルである請求項２０に記載の熱可塑性物品。
【請求項２３】
前記ジアリールカーボネートが炭酸ジフェニルである請求項１９に記載の熱可塑性物品。
【請求項２４】
前記ポリカーボネートが三官能価及び四官能価フェノール類、炭酸類並びに炭酸側鎖を有するビスフェノール類からなる群から選ばれた１種又はそれ以上の分岐剤を含む請求項１に記載の熱可塑性物品。
【請求項２５】
前記ポリカーボネートが１，４−ビス（４’、４”−ジヒドロキシトリフェニルメチル）ベンゼン及びトリスフェノールＴＣから選ばれた１種又はそれ以上の分岐剤を含む請求項１に記載の熱可塑性物品。
【請求項２６】
前記ポリカーボネートが窒素含有分岐剤を含む請求項１に記載の熱可塑性物品。
【請求項２７】
前記ポリカーボネートが塩化シアン及び３，３−ビス（４−ヒドロキシフェニル）−２−オキソ−２，３−ジヒドロインドールから選ばれた１種又はそれ以上の分岐剤を含む請求項１に記載の熱可塑性物品。
【請求項２８】
前記ブレンドが耐衝撃性改良剤、ＵＶ安定剤、燐含有安定剤、成核剤、増量剤、難燃剤、補強剤、充填剤、帯電防止剤、離型剤、着色剤、酸化防止剤、押出助剤、スリップ剤、剥離剤、カーボンブラック及び他の顔料からなる群から選ばれた１種又はそれ以上の添加剤を含む請求項１に記載の熱可塑性物品。
【請求項２９】
前記装飾材料が金属ワイヤ、ロッド又はバー；天然繊維、ガラス繊維、無機繊維、布、紙及び印刷層からなる群から選ばれる請求項１に記載の熱可塑性物品。
【請求項３０】
前記上部又は下部シート材料が０．７６〜６．４ｍｍの範囲の厚さを有し且つ前記装飾材料の厚さが０．２５４〜５．０８ｍｍである請求項１に記載の熱可塑性物品。
【請求項３１】
前記製品が、前記製品の外面の一方又は両方に耐摩耗性被覆を含む請求項１に記載の熱可塑性物品。
【請求項３２】
前記耐摩耗性被覆が０．０１２７〜０．２５４ｍｍの範囲の厚さを有するフィルムとして提供される請求項３１に記載の熱可塑性物品。
【請求項３３】
前記耐摩耗性フィルムが０．０１７〜０．２５４ｍｍの範囲の厚さを有するフッ素化炭化水素、ポリ（パーフルオロエチレン）、アクリル又は延伸ポリ（エチレンテレフタレート）フィルムとして提供される請求項３１に記載の熱可塑性物品。
【請求項３４】
前記耐摩耗性被覆がポリ塩化ビニル、ＰＥＴＧコポリエステル、ポリ（エチレンテレフタレート）、ポリ（メチルメタクリレート）又はポリカーボネートのフィルム上の熱硬化、紫外線硬化又は電子ビーム硬化材料である請求項３１に記載の熱可塑性物品。
【請求項３５】
前記耐摩耗性被覆が熱硬化珪素樹脂、ポリウレタン樹脂若しくはフッ素化ポリウレタン樹脂、又はポリウレタン、フッ素化ポリウレタン、シリコン、エポキシ、ポリエステル、ポリエーテル若しくはカプロラクトン残基を含む改質アクリル酸樹脂から選ばれた紫外線−若しくは電子ビーム−硬化材料である請求項３１に記載の熱可塑性物品。
【手続補正２】
【補正対象書類名】明細書
【補正対象項目名】０００６
【補正方法】変更
【補正の内容】
【０００６】
【特許文献１】米国特許第５，８９４，０４８号
【特許文献２】米国特許第５，９５８，５３９号
【特許文献３】米国特許第５，９９８，０２８号
【特許文献４】米国特許第５，６４３，６６６号
【特許文献５】米国特許第６，０２５，０６９号
【特許文献６】米国特許第５，４１３，８７０号
【手続補正３】
【補正対象書類名】明細書
【補正対象項目名】００２４
【補正方法】変更
【補正の内容】
【００２４】
用語「アルキレン」とは２つの原子価が異なる炭素原子上にある二価の飽和脂肪族基、例えばエチレン；１，３−プロピレン；１，２−プロピレン；１，４−ブチレン；１，３−ブチレン；１，２−ブチレン；アミレン；イソアミレンなどを意味する。用語「アルキリデン」とは２つの原子価が同一原子上にある二価の基、例えばエチリデン、プロピリデン、イソプロピリデン、ブチリデン、イソブチリデン、アミリデン、イソアミリデン、３，５，５−トリメチルへキシリデンを意味する。「シクロアルキレン」の例はシクロプロピレン、シクロブチレン及びシクロヘキシレンである。「シクロアルキリデン」の例はシクロプロピリデン、シクロブチリデン及びシクロへキシリデンである。Ｃ1〜Ｃ4アルキルの例はメチル、エチル、プロピル、イソプロピル、ブチル及びイソブチルである。